(57)【要約】      （修正有）【課題】洗濯等により反射材の機能が劣化するのを防止する衣類を提供する。【解決手段】作業用スラックス１の足を通す部分２（以下、脚足部２と称する）のまわりに、上辺が脚足部２につながって折り返し可能とされた環状の帯状布３が配されている。そして、この帯状布３の裏面に、再帰性反射材４が設けられている。このようにした作業用スラックス１では、例えば夜間や暗所での作業を行うときには、帯状布３を上に折り返して、再帰性反射材４が表に向いた状態となるようにする。そして、洗濯するときには、帯状布３の折り返しを元に戻して、再帰性反射材４が裏に向いた状態となるようにする。これにより、洗濯により再帰性反射材４のガラスビーズが剥離したり、プリズムが摩耗したりするのを防ぎ、反射材の機能が劣化するのを防止することができる。【選択図】図２
0003177261.tif 000002
【実用新案登録請求の範囲】
【請求項１】
該衣服の筒状部のまわりに配され、上下辺いずれかが前記筒状部につながって折り返し可能とされた環状の帯状布と、
前記環状布の表裏面のいずれかに設けられた反射材とを備えたことを特徴とする衣服。
【請求項２】
前記反射材が表に向いた状態となるように前記帯状布を保持する保持部材、及び前記反射材が裏に向いた状態となるように前記帯状布を保持する保持部材のうち少なくともいずれか一方を備えたことを特徴とする請求項１に記載の衣服。
【請求項３】
前記筒状部はスラックスの足を通す部分であることを特徴とする請求項１又は２に記載の衣服。
【請求項４】
前記筒状部は上着の袖及び身頃のうち少なくともいずれかであることを特徴とする請求項１又は２に記載の衣服。
【考案の詳細な説明】
【技術分野】
【０００１】
本考案は、反射材付きの衣服に関する。
【背景技術】
【０００２】
夜間や暗所での作業員の存在を示すために、視認性を上げるべく再帰性反射材を縫合等した衣服が実用化されている（例えば特許文献１を参照のこと）。
【先行技術文献】
【特許文献】
【０００３】
【特許文献１】実用新案登録第３１４９２６１号公報
【考案の概要】
【考案が解決しようとする課題】
【０００４】
再帰性反射材は、入射光を光源の方向にまっすぐ戻す再帰性反射を実現したものであり、ガラスビーズで光を屈折させるタイプやプリズムで光を屈折させるタイプがある。
このような再帰性反射材付きの衣服では、特に工業洗濯のような激しい洗濯を繰り返すと、ガラスビーズが剥離したり、プリズムが摩耗したりして、反射材の機能が劣化することがある。また、洗濯以外でも、作業時の摩擦や強い紫外線の影響等を受けて反射材の機能が劣化することがある。
【０００５】
本考案は上記のような点に鑑みてなされたものであり、洗濯等により反射材の機能が劣化するのを防止できるようにすることを目的とする。
【課題を解決するための手段】
【０００６】
本考案の衣服は、該衣服の筒状部のまわりに配され、上下辺いずれかが前記筒状部につながって折り返し可能とされた環状の帯状布と、前記環状布の表裏面のいずれかに設けられた反射材とを備えたことを特徴とする。
また、本考案の衣服の他の特徴とするところは、前記反射材が表に向いた状態となるように前記帯状布を保持する保持部材、及び前記反射材が裏に向いた状態となるように前記帯状布を保持する保持部材のうち少なくともいずれか一方を備えた点にある。
また、本考案の衣服は、前記筒状部はスラックスの足を通す部分であるか、上着の袖及び身頃のうち少なくともいずれかである点にある。
【考案の効果】
【０００７】
本考案によれば、例えば夜間や暗所での作業を行うときには、反射材が表に向いた状態となるようにし、例えば洗濯するときには、反射材が裏に向いた状態となるようにすることができ、洗濯等により反射材の機能が劣化するのを防止することができる。
【図面の簡単な説明】
【０００８】
【図１】実施形態に係る作業用スラックスを示す図である。
【図２】実施形態に係る作業用スラックスを示す図である。
【図３】帯状布の構成例を説明するための図である。
【図４】帯状布の構成例を説明するための図である。
【図５】本考案を適用可能な他の衣服の例を示す図である。
【図６】本考案を適用可能な他の衣服の例を示す図である。
【考案を実施するための形態】
【０００９】
以下、添付図面を参照して、本考案の好適な実施形態について説明する。
図１、図２に、本考案を適用した衣服の例である、実施形態に係る作業用スラックス（作業用ズボン）１を示す。
図１に示すように、足を通す部分２（以下、脚足部２と称する）のまわりに、上辺が脚足部２につながって折り返し可能とされた環状の帯状布３が配されている。そして、図２に示すように、この帯状布３の裏面（脚足部２側の面）に、再帰性反射材４が設けられている。
【００１０】
また、図１に示すように、帯状布３の表面及び脚足部２の表面の適宜な箇所に一対の面ファスナ５、５が設けられている。これにより、図２に示すように、帯状布３を上に折り返した状態に保持する、すなわち再帰性反射材４が表に向いた状態となるように帯状布３を保持することができる。
同様に、図２に示すように、帯状布３の裏面及び脚足部２の表面の適宜な箇所に一対の面ファスナ６、６が設けられている。これにより、図１に示すように、帯状布３の折り返しを元に戻した（下に折り返した）状態に保持する、すなわち再帰性反射材４が裏に向いた状態となるように帯状布３を保持することができる。
なお、再帰性反射材４が表裏に向いた状態となるように帯状布３を保持する例を説明したが、いずれか一方であってもよい。また、本考案でいう保持部材として面ファスナを説明したが、それに限定されるものではなく、ドットボタン等を用いてもよい。
【００１１】
このようにした作業用スラックス１では、例えば夜間や暗所での作業を行うときには、図２に示すように帯状布３を上に折り返して、再帰性反射材４が表に向いた状態となるようにする。このとき、面ファスナ５、５により、再帰性反射材４が表に向いた状態となるように帯状布３を保持することができる。
そして、洗濯するときには、図１に示すように帯状布３の折り返しを元に戻して、再帰性反射材４が裏に向いた状態となるようにする。これにより、洗濯により再帰性反射材４のガラスビーズが剥離したり、プリズムが摩耗したりするのを防ぎ、反射材の機能が劣化するのを防止することができる。このとき、面ファスナ６、６により、再帰性反射材４が表に向いた状態となるように帯状布３を保持することができ、洗濯中に帯状布３が折り返って再帰性反射材４が表に向かないようにすることができる。また、洗濯以外でも、再帰性反射材４が摩擦や強い紫外線の影響等を受けるようなときに、帯状布３の折り返しを元に戻して、再帰性反射材４が裏に向いた状態となるようにすればよい。
【００１２】
図３、図４を参照して、帯状布３の構成例を説明する。
図３に示すのは、作業用スラックス１の脚足部本体７をやや丈の短いものとし、別体の筒状布８を継ぎ足して脚足部２をなすようにした例である。この場合、脚足部本体７の裾７ａから内側に筒状布８の上部を挿入し、裾７ａよりも上側の位置で、筒状布８の上縁部８ａを縫合等により固定する。これにより、脚足部本体７の裾７ａから筒状布８の固定位置（筒状布８の上縁部８ａの位置）までの間の部位を、環状の帯状布３として利用することができる。
【００１３】
図４に示すのは、帯状布３を作業用スラックス１とは別体として、この帯状布３の上辺３ａを脚足部２に縫合等により固定した例である。
【００１４】
なお、本実施形態では、帯状布３の上辺が脚足部２につながって折り返し可能とされ、帯状布３の裏面に再帰性反射材４が設けられていると説明したが、帯状布３の下辺が脚足部２につながって折り返し可能とされていたり、帯状布３の表面に再帰性反射材４が設けられていたりしてもかまわない。
【００１５】
以上、本考案を実施形態とともに説明したが、本考案はこれらの実施形態にのみ限定されるものではなく、本考案の範囲内で変更等が可能である。
上記実施形態では、本考案を作業用スラックスに適用した例を説明したが、衣服全般に適用可能である。図５、図６は、本考案を上着９の袖１０や身頃（胴回り）１１に適用した例を示す。
【符号の説明】
【００１６】
１：作業用スラックス、２：足を通す部分、３：帯状布、４：再帰性反射材、５、６：面ファスナ、９：上着、１０：袖、１１：身頃
【図１】
0003177261.tif 000003
【図２】
0003177261.tif 000004
【図３】
0003177261.tif 000005
【図４】
0003177261.tif 000006
【図５】
0003177261.tif 000007
【図６】
0003177261.tif 000008